(57)【要約】【課題】内部を照らす照明装置をつけた収納物（財布、ポーチ、ハンドバッグ、化粧ケース、旅行かばんを含むかばん）。【解決手段】電源をを入り切りする機能持つ超小型軽量の電源付照明装置を収納物の蓋部分に取付け、開閉時にスイッチを入り切りし収納物入れ内部を照明する。【選択図】図２
0003134831.tif 000002
【実用新案登録請求の範囲】
【請求項１】
（１）蓋の開閉部に取付、開閉時に自動又は手動にて点灯、消灯し内部を照明する照明装置を設けた構造をもつ財布
（２）蓋の開閉部に取付、開閉時に自動又は手動にて点灯、消灯し内部を照明する照明装置を設けた構造をもつポーチ等
（３）蓋の開閉部に取付、開閉時に自動又は手動にて点灯，消灯し内部を照明する照明装置を設けた構造をもつハンドバッグ等
（４）蓋の開閉部に取付、開閉時に自動又は手動にて点灯、消灯し内部を照明する照明装置を設けた構造をもつ化粧ケース等
（５）蓋の開閉部に取付、開閉時に自動又は手動にて点灯、消灯し内部を照明する照明装置を設けた構造をもつ旅行かばんを含むかばん等
【考案の詳細な説明】
【技術分野】
【０００１】この考案は蓋の開閉時に点灯、消灯の機能を持つ照明装置を取り付けた構造を持つ収納物入れ（財布、ポーチ、ハンドバッグ、化粧ケース、旅行かばんを含むかばん等）に関するものである。
【背景技術】
【０００２】従来の収納物入れは、暗い場所や明かりのない場所で開けた時に内部がよく見えず、例えば財布等ではカードの判別がつかなかったりお金の判別がつかず、不便を感じることが多かった。
また内部照明用に照明を設けるには、そうした点灯、消灯機能を持つ照明装置が大きく、可能な限り軽く、また内容量を増やしたいという収納物入れの機能と相反する問題を生じ、照明つきの収納物入れは存在しなかった。
【考案の開示】
【考案が解決しようとする課題】
【０００３】収納物入れの機能を損なわず、可能な限り軽く又内容量を格別に減らすことのない小型、軽量の照明装置の製作と小型、軽量の照明装置を収納物入れの開閉部にとりつけ、収納物入れの開閉時に、電源の入り切りが自動又は手動で容易に出来、内部を照らすことが出来るような構造を持つこと
【課題を解決するための手段】（イ）ＬＥＤランプ、電子回路の小型化、また磁石を利用した超小型磁気近接スイッチ又は極超小型マイクロスイッチを使用しての、超小型で軽いＬＥＤ照明装置の利用
（ロ）収納物入れの内部照明用に作られた軽量、超小型照明装置を収納物入れの開閉部分に取り付ける。
（ハ）照明装置の入り切りの機能を自動的にするため、磁気スイッチを使う場合には磁石を磁気スイッチ入り照明装置の反対側に，相対するように取り付ける。その結果、磁気がない（蓋が開けられると）と照明が点灯し、磁石が近づく（蓋が閉じられる）と照明が消える。
（ニ）装置の入り切りの機能に極超小型マイクロスイッチを使う場合には、マイクロスイッチは蓋の開閉時に作動しないような個所で、開閉したのち指先で容易に入り切り出来る個所に取り付ける。
（ホ）磁気近接スイッチの代わり極超小型マイクロスイッチを使えば、磁気近接スイッチ駆動用の磁石を使用しなくて済むため、収納物に入れられた磁気カードや預金通帳等の記録データが磁石の影響によって消滅する心配がなくなる。磁気データ記録の消滅に考慮する場合には極超小型のマイクロスイッチのみで入り切りする照明装置を取り付ける
（ヘ）照明装置の収納物入れへの取付部は照明装置が、容易に取り外しが出来る構造とし、予備の照明装置があれば本体ごと交換することが可能な取付部とする。また照明装置は容易に電池の交換が可能な構造とする。
【考案の効果】本案の収納物入れを持てば、暗い場所や明かりのない場所であっても収納物入れの内部を見ることが出来、中身が見えない、わからないといった悩みから開放されることになる。且つ照明装置自身が小型軽量であることから収納物入れに、本来要求される可能な限り軽く、また内容量を格別に減らすことがないという機能を損なうことなく便利な装置が付加され利便性が増した。
【考案を実施するための最良の形態】本案は、以上のような構造を持った収納物入れであるから、収納物入れの蓋を開けたとき、照明装置の電源の入り切り機能が磁気近接スイッチの場合には自動的に、また極超小型マイクロスイッチの場合には指先のオン、オフで照明装置を点灯させ収納物入れの内部を見ることが出来る。
また電源（電池）が亡くなった場合には、予備の照明装置を持てば本体を交換することで対応できるし照明装置自体の電池を交換することでも対応できる。
【実施例】蓋の開閉部に超小型照明装置を取り付け、蓋の開閉時に自動又は手動にて点灯、消灯し内部を収納物入れの内部を照らす。
本小型照明装置をとりつける収納物入れの対象には
小物入れ    男、女用  （財布、ポーチ等）
ケース      男、女用  （化粧ケース等）
かばん      男、女用  （ハンドバッグ、旅行かばん等）
があげられる。
【産業上の利用可能性】小型照明装置を取り付けることが出来る収納物入れは、ポーチケース類、かばん類と広い範囲にわたっており、消費者の利便性が増した内部照明用の小型照明装置を持つ収納物入れの利用可能性は多大である。
【図面の簡単な説明】
【図１】財布に照明装置を装備したときの概念図
【図２】ハンドバッグに照明装置を装備したときの概念図
【図３】化粧ケースに照明装置を装備したときの概念図
【図４】かばんに照明装置を装備したときの概念図
【符号の説明】
１    財布
２    財布を上部より見た図
３    開閉部
４    磁気近接スイッチ付照明装置を入れた取付部
５    磁気スイッチ用磁石を縫いこんだ磁石取付部
６    ハンドバッグ
７    化粧ケース
８    磁気近接スイッチ付照明装置を埋め込んだ取付部
９    磁気スイッチ用磁石を縫いこんだ磁石取付部
１０  かばん
【図１】
0003134831.tif 000003
【図２】
0003134831.tif 000004
【図３】
0003134831.tif 000005
【図４】
0003134831.tif 000006
【手続補正書】
【提出日】平成18年11月29日(2006.11.29)
【手続補正１】
【補正対象書類名】実用新案登録請求の範囲
【補正対象項目名】全文
【補正方法】変更
【補正の内容】
【実用新案登録請求の範囲】
【請求項１】
蓋、開閉部の片側に超小型磁気近接スイッチおよび極超小型マイクロスイッチつき小型照明装置を取り付けまたその対極面の蓋開閉部片側にマグネットを取り付け蓋の開閉時に自動又は手動にて点灯、消灯出来るように構成された財布
【請求項２】
蓋、開閉部の片側に超小型磁気近接スイッチおよび極超小型マイクロスイッチつき小型照明装置を取り付けまたその対極面の蓋開閉部片側にマグネットを取り付け蓋の開閉時に自動又は手動にて点灯、消灯出来るように構成されたポーチ
【請求項３】
蓋、開閉部の片側に超小型磁気近接スイッチおよび極超小型マイクロスイッチつき小型照明装置を取り付けまたその対極面の蓋開閉部片側にマグネットを取り付け蓋の開閉時に自動又は手動にて点灯、消灯できるように構成されたハンドバック
【請求項４】
蓋、開閉部の片側に超小型磁気近接スイッチおよび極超小型マイクロスイッチつき小型照明装置を取り付けまたその対極面の蓋開閉部片側にマグネットを取り付け蓋の開閉時に自動又は手動にて点灯、消灯出来るように構成された化粧ケース
【請求項５】
蓋、開閉部の片側に超小型磁気近接スイッチおよび極超小型マイクロスイッチつき小型照明装置を取り付けまたその対極面の蓋開閉部片側にマグネットを取り付け蓋の開閉時に自動又は手動にて点灯、消灯出来るように構成された旅行かばん